(57)【要約】【課題】パンツ本体に対して吸収パッドを交換可能にすると共に、着用状態にあるパンツ本体に対して吸収パッドを容易かつ迅速に交換し得るようにする。【解決手段】ウエスト周り開口部１２Ｗと、一対の脚周り開口部１２Ｌと、少なくとも１つの股間開口部２４とを有するパンツ本体１２と、このパンツ本体１２の外側から交換可能に接合されて股間開口部２４を覆う吸収パッド１１と、この吸収パッド１１の少なくとも前後両端部をパンツ本体１２に対して交換可能に接合するための接合手段１７，１９とを具え、吸収パッド１１の交換を行う場合には、着用状態にあるパンツ本体１２から接合手段１７，１９を介して吸収パッド１１を取り外し、新たな吸収パッド１１をパンツ本体１２の股間開口部２４を覆うように接合手段１７，１９を介して再びパンツ本体１２の適切な位置に装着する。【選択図】　　　　図９
2004000414.tif 000002
【特許請求の範囲】
【請求項１】
ウエスト周り開口部と、一対の脚周り開口部と、液通過部とを有するパンツ本体と、
このパンツ本体の外側から交換可能に接合されて前記液通過部を覆う吸収パッドと、
この吸収パッドの少なくとも前後両端部を前記パンツ本体に対して交換可能に接合するための接合手段と
を具えたことを特徴とする吸収性物品。
【請求項２】
前記液通過部は液透過性シートにて形成され、少なくとも股間部の領域に配置されていることを特徴とする請求項１に記載の吸収性物品。
【請求項３】
前記液透過性シートが多孔質シートまたはメッシュシートであることを特徴とする請求項２に記載の吸収性物品。
【請求項４】
前記液通過部が少なくとも１つの股間開口部であることを特徴とする請求項１に記載の吸収性物品。
【請求項５】
前記股間開口部が尿通過用の前部開口と便通過用の後部開口とを有することを特徴とする請求項４に記載の吸収性物品。
【請求項６】
前記パンツ本体の前記ウエスト周り開口部の開口端に沿って伸長状態で配され、ウエスト周りギャザーを形成するための弾性部材と、前記脚周り開口部の開口端に沿って伸長状態で配され、脚周りギャザーを形成するための弾性部材とをさらに具えたことを特徴とする請求項１から請求項５の何れかに記載の吸収性物品。
【請求項７】
前記吸収パッドは、少なくともその長手方向両端部において、前記パンツ本体に分離可能な接合手段を有することを特徴とする請求項１から請求項６の何れかに記載の吸収性物品。
【請求項８】
前記パンツ本体は、液透過性のメインシートと、前記液通過部の周囲の少なくとも前記吸収パッドが重ね合わされる前記メインシートの部分に一体的に接合される液不透過性または撥液性のカバーシートとを有することを特徴とする請求項１から請求項７の何れかに記載の吸収性物品。
【請求項９】
前記吸収パッドは、液透過性の表面シートと、液不透過性の裏面シートと、これら両シートの間に配される吸収体とを有することを特徴とする請求項１から請求項８の何れかに記載の吸収性物品。
【請求項１０】
前記吸収パッドは、前記表面シートに重ねて配され、前記液通過部と対応した形状の開口が形成された液不透過性または撥液性のカバーシートをさらに有することを特徴とする請求項９に記載の吸収性物品。
【請求項１１】
前記吸収パッドは、前記表面シートの左右両側縁に沿って配される一対のギャザーシートと、この一対のギャザーシートの自由端縁側に伸長状態で配されてそれぞれ立体ギャザーを形成するための弾性部材とをさらに有することを特徴とする請求項９または請求項１０に記載の吸収性物品。
【請求項１２】
ウエスト周り開口部と、
一対の脚周り開口部と、
外側から交換可能に接合される吸収パッドによって覆われる液通過部と
を具えたことを特徴とするパンツ本体。
【請求項１３】
ウエスト周り開口部と、一対の脚周り開口部と、液通過部とを有するパンツ本体の外側から交換可能に接合されて前記液通過部を覆う吸収パッドであって、
液透過性の表面シートと、
液不透過性の裏面シートと、
これら両シートの間に配される吸収体と、
前記表面シート側の面に設けられて前記パンツ本体に対して交換可能に接合し得る接合手段と
を具えたことを特徴とする吸収パッド。
【発明の詳細な説明】
【０００１】
【発明の属する技術分野】
本発明は、パンツ本体とこのパンツ本体に対して交換可能に装着される吸収パッドとを具えた吸収性物品およびこれを構成するパンツ本体および吸収パッドに関する。なお、本発明における「吸収性物品」とは、乳幼児または介護用のおむつや成人用失禁用品などを意図したものである。
【０００２】
【従来の技術】
乳幼児または介護用のおむつとして、ゴムなどの弾性部材をウエスト周り開口部および脚周り開口部に配し、これらウエスト周り開口部および脚周り開口部にそれぞれ伸縮性を付与したパンツ型の使い捨ておむつが知られている。このパンツ型使い捨ておむつは、おむつカバーに相当するパンツ本体と尿などを吸収保持する吸収体とを一体化したものであり、着用者自身による着脱が容易であって着用感も通常の下ばきに対してそれほど大きな違和感がないことから、成人の場合には下着感覚で着用することも可能である。
【０００３】
このような使い捨ておむつに対する経済的負担を軽減するため、洗濯を行うことによって反復使用を可能とした失禁パンツや、パンツ本体に対して吸収体を吸収パッドとして交換可能に装着できるようにしたものも特開昭６２−９４１５５号公報、特開平８−５２１７４号公報、特開平９−７５３９０号公報にて提案されている。
【０００４】
上述した失禁パンツは、洗濯による反復使用を可能とするため、布帛を主体として構成されており、パンツ型の使い捨ておむつよりもむれなどの点で着用感が良好であり、軽度の失禁に対しては有効であると言える。また、パンツ本体に対して吸収パッドを交換可能に装着できるようにしたものは、パンツ本体の内側に吸収パッドを保持するようになっており、使い捨ての吸収パッドに対してパンツ本体の反復使用が可能である。
【０００５】
【発明が解決しようとする課題】
従来のパンツ型使い捨ておむつは、パンツ本体と吸収体とが一体化されているため、着用者が失禁などで吸収体を汚してしまった場合、パンツ本体を含めて全体を廃棄する必要があった。このため、使用者側における経済的な負担が著しく嵩んでしまう欠点を有する。
【０００６】
洗濯を行うことにより反復使用できるようにした失禁パンツは、このような経済的な負担を軽減できるものの、吸収体を構成する部分が布帛を主体としているため、使い捨ておむつで用いられる吸収体の如き充分な吸収力を持っていない。このため、軽失禁には対応できても、通常の排尿や排便などには対応できないという問題がある。
【０００７】
パンツ本体の内側に吸収パッドを交換可能に装着できるようにしたものは、上述した失禁パンツほどではないけれども、パンツ本体を繰り返し使用できる点で先のパンツ型使い捨ておむつよりも使用者側の経済的負担を軽減することが可能である。しかも、吸収パッドの能力によっては通常の漏れや排便などにも対応させることができる。しかしながら、吸収パッドを交換する場合、特に寝たきり状態の病人などにおいては、その腰の部分をベッドから浮かせ、この状態にてパンツ本体をずり下ろして吸収パッドを交換した後、再びパンツ本体を正規の位置まで引き上げる必要があり、この作業のために介護者に多大な肉体的負担を強いる欠点があった。このような不具合は、寝たきり状態の病人などの介護を対象とした場合、先の失禁パンツやパンツ型使い捨ておむつも同様に生ずる。しかも、パンツ本体を着用者の正規の位置まで引き上げる際に、吸収パッドの位置がずれたり、折れ曲がってしまうおそれもあった。
【０００８】
【発明の目的】
本発明の目的は、着用状態にあるパンツ本体に対して吸収パッドを容易かつ迅速に交換し得る吸収性物品を提供することにある。
【０００９】
本発明の他の目的は、このような吸収性物品を構成するパンツ本体および吸収パッドを提供することにある。
【００１０】
【課題を解決するための手段】
本発明の第１の形態は、ウエスト周り開口部，一対の脚周り開口部，液通過部を有するパンツ本体と、このパンツ本体の外側から交換可能に接合されて前記液通過部を覆う吸収パッドと、この吸収パッドの少なくとも前後両端部を前記パンツ本体に対して交換可能に接合するための接合手段とを具えたことを特徴とする吸収性物品にある。
【００１１】
本発明の第１の形態による吸収性物品において、液通過部を微小な小孔が多数形成された多孔質シートまたはメッシュシートなどの液透過性シートにて形成し、少なくとも股間部の領域に配することができる。
【００１２】
液通過部が少なくとも１つの股間開口部であってよく、尿通過用の前部開口と便通過用の後部開口とを有することができる。
【００１３】
ウエスト周り開口部の開口端に沿って伸長状態で配され、ウエスト周りギャザーを形成するための弾性部材と、脚周り開口部の開口端に沿って伸長状態で配され、脚周りギャザーを形成するための弾性部材とをさらに具えたものであってよい。
【００１４】
吸収パッドは、少なくともその長手方向両端部において、パンツ本体に分離可能な接合手段を有することができる。
【００１５】
パンツ本体が液透過性のメインシートと、液通過部の周囲の少なくとも吸収パッドが重ね合わされるメインシートの部分に一体的に接合される液不透過性または撥液性のカバーシートとを有するものであってよい。
【００１６】
吸収パッドが液透過性の表面シートと、液不透過性の裏面シートと、これら両シートの間に配される吸収体とを有するものであってよい。この場合、表面シートに重ねて配され、液通過部と対応した形状の開口が形成された液不透過性または撥液性のカバーシートをさらに有することができる。また、この吸収パッドは、表面シートの左右両側縁に沿って配される一対のギャザーシートと、この一対のギャザーシートの自由端縁側に伸長状態で配されてそれぞれ立体ギャザーを形成するための弾性部材とをさらに有することができる。
【００１７】
本発明の第２の形態は、ウエスト周り開口部と、一対の脚周り開口部と、外側から交換可能に接合される吸収パッドによって覆われる液通過部とを具えたことを特徴とするパンツ本体にある。
【００１８】
本発明の第３の形態は、ウエスト周り開口部と、一対の脚周り開口部と、液通過部とを有するパンツ本体の外側から交換可能に接合されて前記液通過部を覆う吸収パッドであって、液透過性の表面シートと、液不透過性の裏面シートと、これら両シートの間に配される吸収体と、前記表面シート側の少なくとも前後両端部に設けられて前記パンツ本体に対して交換可能に接合し得る接合手段とを具えたことを特徴とするものである。
【００１９】
本発明によると、パンツ本体のウエスト周り開口部が着用者のウエストを囲むと共に一対の脚周り開口部が着用者の脚の付け根部分を囲むようにパンツ本体が着用される。しかる後、パンツ本体の液通過部を覆うように接合手段を介して吸収パッドをパンツ本体の適切な位置に装着するが、パンツ本体を着用する時点でパンツ本体に吸収パッドを装着しておくことも可能である。吸収性物品の着用者の排泄物は、パンツ本体の液通過部から吸収パッドに吸収保持される。吸収パッドの交換を行う必要が生じた場合には、排泄物を保持している吸収パッドをパンツ本体を着用した状態で接合手段を介してパンツ本体から取り外し、新たな吸収パッドをパンツ本体の液通過部を覆うように接合手段を介して再びパンツ本体の適切な位置に装着する。
【００２０】
【発明の実施の形態】
本発明におけるパンツ本体は、綿，ポリプロピレン，ポリエチレン，ポリエステル，ナイロンなどの単繊維、またはポリエステル，ポリプロピレン，ポリエチレン，ナイロンなどを２種類以上組み合わせた複合繊維などを用い、親水性または疎水性の不織布，織布などで構成することができるが、このようなものに限定されるわけではなく、パンツ本体に対する要求に応じて最適なものを採用すればよい。パンツ本体の着用感を向上させるため、パンツ本体を前身頃や後身頃などの複数の部分に分け、これらを相互に縫い合わせたり、接着剤やヒートシールなどを用いて相互に接合し、立体的に形成することが望ましい。
【００２１】
パンツ本体に対して吸収パッドを交換可能に接合するための接合手段として、ボタンやホックなどの他に面ファスナや粘着テープなどを用いることが可能である。
【００２２】
吸収パッドは、少なくともその長手方向両端部において、前記パンツ本体に分離可能な接合手段を有するものであってよい。
【００２３】
吸収パッドの表面シートは、裏面シートと同じか、それよりも大きな寸法を有することができ、単一のシートで構成してもよいが、単一のシートに限定されず、吸収体の上面とその左右両側縁部とを別々のシートで覆うなど、複数枚のシートを接合することで構成してもよい。複数枚のシートで表面シートを構成する際、各シートは別の素材を使っても良いが、同一の素材でも良い。この表面シートは、ポリプロピレン，ポリエチレン，ポリエステル，ナイロンなどの単繊維、またはポリエステル，ポリプロピレン，ポリエチレン，ナイロンなどを２種類以上組み合わせた複合繊維などを用い、親水性または疎水性の不織布，織布，多孔性プラスチックフィルムなどで構成することができる。特に、ポリエステル／ポリエステル，ポリエステル／ポリエチレン，ポリプロピレン／ポリエチレンの複合繊維が強度の面から好ましいけれども、これらに限定されるわけではなく、表面シートに対する要求に応じて最適なものを採用すればよい。
【００２４】
吸収パッドの吸収体は、綿状パルプ，高吸収性ポリマー（以後省略してＳＡＰという），親水性シートなどで構成されるが、特に制限を受けるものではなく、従来の使いすておむつその他の吸収性物品に通常使用される公知の吸収体であってよい。すなわち、綿状パルプやレーヨンなどの吸収性繊維からなる単層または多層のマットを親水性シートで覆い、ＳＡＰを各マット中に均一に混合または各マット間に層状に介在させたものであってよい。あるいは、綿状パルプに対して３〜６０重量％の熱融着性物質を混合して熱圧着してもよいし、ＳＡＰのみを親水性シートで囲繞したものであってもよい。
【００２５】
上述した親水性シートとしては、ティシュ，吸収紙，親水性不織布などを採用することができる。
【００２６】
綿状パルプは、化学パルプシートや機械パルプシートを粉砕機で解繊することにより得られる５ｍｍ以下の繊維長のものが用いられる。パルプ原料としては、針葉樹に限らず、広葉樹，わら，竹およびケナフなども利用可能であり、古紙パルプを使用してもよい。この綿状パルプの使用量は、目的とする吸収パッドの吸収特性に応じて単独で用いるか、複数積層して用いるか、他の吸収体を併用するかなどによって異なるが、一般的には５０〜４００ｇ／ｍ２に設定される。
【００２７】
ＳＡＰは、自重の２０倍以上の尿や体液などの水分を吸収するものであり、デンプン系，セルロース系，合成ポリマー系のものを挙げることができる。すなわち、デンプン−アクリル酸（塩）グラフト共重合体，デンプン−アクリル酸エチルグラフト共重合体のケン化物，デンプン−メタクリル酸メチルグラフト共重合体のケン化物，デンプン−アクリロニトリルグラフト共重合体のケン化物，デンプン−アクリルアミドグラフト共重合体のケン化物，アクリル酸（塩）重合体，アクリル酸で架橋されたポリエチレンオキシド，ナトリウムカルボキシメチルセルローズの架橋物，ポリビニールアルコール−無水マレイン酸反応物の架橋物などであり、特にポリアクリル酸ナトリウム系のものが吸収性能の点から最も好ましい。ＳＡＰの分布量は、乾燥した綿状パルプ１００重量部に対して１０〜５００重量部、好ましくは１５〜３００重量部であり、これを綿状パルプに実質的に均一に分布させる。ＳＡＰが尿や体液などを吸収して膨潤した場合、その粒子相互の干渉が最小に止められ、連続的に接触して透過障壁を形成することが少なく、尿や体液を３次元方向に透過して吸収することが望ましい。
【００２８】
着用時における吸収パッドに対する違和感を改善するため、吸収体を圧縮して嵩密度を高めることが有効である。具体的には、外周面が平滑なロールなどにより、吸収体の密度がその全体に亙って実質的に均一となるように連続する面状に圧縮してもよいし、外周面に凹凸が形成されたロールなどにより、吸収体にその嵩密度が部分的に異なるエンボス加工を施し、尿や体液などを縦方向や斜め方向に導くように圧縮成形することも有効である。このエンボス加工を行う場合、圧縮部分と非圧縮部分とが連続または不連続の何れであってもよい。
【００２９】
吸収体の形状は液通過部の輪郭形状に対応させてもよいが、必ずしも対応させる必要はなく、矩形でも砂時計型でもよく、従来の使いすておむつや、その他の吸収性物品において通常使用される公知の形状の何れでもよく、特に制限されるものではない。
【００３０】
吸収パッドの表面シートに重ねて液不透過性または撥液性のカバーシートを配設した場合、表面シート自体に液体の拡散性を持たせるようにしてもよい。あるいは、表面シートに面する吸収体の表層側の少なくとも一部に拡散層としての拡散シートを介在させることも有効である。着用者の体型や着用状態などによって表面シートと吸収体との間にトラップ用の充分な空隙を形成することが困難な場合でも、この拡散シートを介して尿や体液などを吸収体側へ迅速に導くことができるため、吸収体による吸収速度を低下させることなく、尿や体液などの漏れを防ぐことが可能となる。拡散シートは、ポリプロピレン，ポリエチレン，ポリエステル，レーヨン，パルプまたはこれらの複合繊維などを用い、親水性かつ液透過性の不織布，織布，多孔性プラスチック，綿状パルプなどで構成され、表面シートと吸収体との間または吸収体の表面に接着剤などを用いて固定されるが、特にこれらに限定されるものではない。
【００３１】
吸収パッドの裏面シートは、ポリエチレンなどの液不透過性フィルムまたは液不透過性フィルムと不織布との貼り合わせ材や、液不透過性フィルムと織布との貼り合わせ材などで構成することができる。
【００３２】
吸収パッドに配されるギャザーシートは、ポリプロピレン，ポリエチレン，ポリエステル，ナイロンなどの単繊維またはポリエステル，ポリプロピレン，ポリエチレン，ナイロンなどを２種類以上組み合わせた複合繊維などを用い、親水性または疎水性の不織布，織布，多孔性プラスチックフィルムなどで構成される。特に、ポリエステル／ポリエステル，ポリエステル／ポリエチレン，ポリプロピレン／ポリエチレンの複合繊維が強度の面から好ましいけれども、ギャザーシートの構成として、これらに制限されるものではない。
【００３３】
表面シートまたは裏面シートをそれらの左右両側縁部から延在させることによって、ギャザーシートを形成することも可能であるが、上述した拡散シートや、これらに対して独立したシートを表面シートや裏面シートに貼り合わせることによって形成することも可能である。
【００３４】
ウエスト周りギャザーを形成するための弾性部材や、脚周りギャザーを形成するための弾性部材、あるいは立体ギャザーを形成するための弾性部材は、何れも天然ゴム，合成ゴム，ウレタンなどを用い、糸状，ひも状，ネット状，テープ状に形成したものをホットメルト，澱粉系またはＣＭＣ（カルボキシメチルセルロース）などの水溶性の糊あるいは高流動性接着剤，熱，超音波などを用いてそれぞれ伸長状態で接合する。
【００３５】
【実施例】
本発明による吸収性物品の実施例について、図１〜図２９を参照しながら詳細に説明するが、本発明はこれらの実施例のみに限らず、これらをさらに組み合わせたり、この明細書の特許請求の範囲に記載された本発明の概念に包含されるあらゆる変更や修正が可能であり、従って本発明の精神に帰属する他の任意の技術にも当然応用することができる。
【００３６】
図１は、失禁パンツとしての本実施例における吸収性物品の吸収パッド１１とパンツ本体１２とを分離した状態を示す斜視図である。また、図２は、その吸収パッド１１の一部切り欠き展開図である。図１および図２において、吸収パッド１１は、液透過性の表面シート１３と液不透過性の裏面シート１４との間に吸収体１５を配置し、吸収体１５の側縁から延出するシート部分でサイドフラップ１６を形成しており、前身頃部１１Ｆおよび後身頃部１１Ｒの長手方向両端に位置する部分にパンツ本体１２との接合手段１７を有している。パンツ本体１２は、後身頃部１２Ｒ，股間部１２Ｃおよび前身頃部１２Ｆを有し、股間部１２Ｃには、本発明による液通過部としての液透過シート１８（図中、斜線で示す領域）が配置されており、後身頃部１２Ｒおよび前身頃部１２Ｆには吸収パッド１１との接合手段１９が設けられている。
【００３７】
ウエスト周り開口部１２Ｗと一対の脚周り開口部１２Ｌとを有するパンツ本体１２は、着用時には接合手段１７，１９により吸収パッド１１と一体化しており、トイレなどで排尿したいときは、通常のパンツと同じ様に吸収パッド１１ごと着脱が可能である。このため、非常にフィット性に優れ、違和感なく装着が可能である。また、失禁が生じたときは、パンツ本体１２を脱ぐことなく、外側に配置された吸収パッド１１のみを外し、新規の吸収パッド１１を配置するだけなので、非常に簡便であるだけではなく、下半身を露出させる必要がないため、羞恥心を軽減することができる。
【００３８】
一般に使用されている使い捨てパンツ型おむつは、失禁により吸収パッド１１の部分が汚れてしまったとき、腹側部および背側部の両側部に形成された接合部を外して簡単に取り外しできるが、新規の使い捨てパンツ型おむつを装着するためには、ズボンなども一度脱いでから新たに装着するという手間が必要であった。また、このように吸収パッド１１のみではなく、パンツ本体１２も廃棄してしまうため、コストも高く、経済的負担も大きかった。使い捨てパンツ型おむつの内側に配置した尿パッドを交換する場合であっても、自身でパンツの着脱が可能な着用者にとっては、パンツを下ろして下半身を露出させて尿パッドを交換するという行為は、羞恥心を助長させるものであった。また、内側に配置した尿パッドが、着用者が使い捨てパンツ型おむつを引き上げる際に折れ曲がってしまい、液不透過性の裏面シートが着用者の肌面にきて、排尿時に尿を吸収できずに漏れてしまうという問題もあった。
【００３９】
本実施例では、吸収パッド１１とパンツ本体１２の両方に接合手段１７，１９を有しているが、両者が結合することができれば良く、接合手段１７，１９の一方のみ配置するだけでも良い。一例を示すと、パンツ本体１２のシートがコットンや毛羽立ちの良い不織布で構成されており、吸収パッド１１の接合手段１７が面ファスナのフック材で構成されている場合、パンツ本体１２には特に接合手段１９を設ける必要はない。また、これらの素材がパンツ本体１２と吸収パッド１１で逆に配置されていても問題はない。吸収パッド１１にのみ接合手段１７が設けられており、パンツ本体１２のどこにでも結合できる場合は、接合手段１９を定めることなく、簡単に両者を一体化することができ、非常に簡便である。逆に、パンツ本体１２にのみ接合手段１９を設けており、吸収パッド１１に接合手段１７を設けない場合は、排尿後に毎回廃棄する吸収パッド１１に余分な部材を配置する必要がないため、安価に製造が可能になり、経済的負担を軽減できる。
【００４０】
本実施例における吸収パッド１１の結合位置は、前身頃部１２Ｆおよび後身頃部１２Ｒであるが、前身頃部１２Ｆおよび股間部１２Ｃでも良い。夜間なども使用する場合は、仰向け状態における着用者の臀部での吸収も目的として後身頃部１２Ｒまで吸収パッド１１を配置する必要はあるが、日中のみであれば前身頃部１２Ｆと股間部１２Ｃのみでも良い。前身頃部１２Ｆと股間部１２Ｃのみの場合は、吸収パッド１１も長手方向に短くなり、安価に製造できる。また、着用者が取り替える場合も、吸収パッド１１装着時に後身頃部１２Ｒまで手をまわす必要がなく、装脱着がさらに簡便になる。
【００４１】
パンツ本体１２の股間部１２Ｃに、本発明の液通過部である液透過シート１８を別途配置する場合は、吸収パッド１１と同等の長さでも良いが、着用者の排尿部位だけに配置しても良い。好ましくは、着用者の排尿時の姿勢などによる排泄物の流れに対しても対応できるように、吸収パッド１１と同等の長さを有している。また、少なくとも液透過シート１８は、吸収パッド１１の表面シート１３よりもシート自身の水分保持量が少なく、サラット感が良い。
【００４２】
図２において、吸収パッド１１は液透過性の表面シート１３と液不透過性の裏面シート１４との間に砂時計型の吸収体１５が配置され、吸収体１５の側縁から延出したシート部分でサイドフラップ１６を形成している。吸収パッド１１は、後身頃部１１Ｒ、股間部１１Ｃおよび前身頃部１１Ｆを有し、後身頃部１１Ｒおよび前身頃部１１Ｆには、吸収パッド１１の長手方向両端部の位置に、着用時に後身頃部１１Ｒと前身頃部１１Ｆをパンツ本体１２に接合させるように、表面シート１３側に接合手段１７が設けられている。
【００４３】
パンツ本体１２の股間部１２Ｃに対応する吸収パッド１１の股間部１１Ｃの幅寸法は、パンツ本体１２の股間部１２Ｃと同じ幅であっても良いが、異なっていても良い。同じ幅である場合は、装着時の股間部におけるごわつきもなく、フィット感が良い。吸収パッド１１の幅がパンツ本体１２よりも広い場合、股間部１２Ｃにおいてパンツ本体１２と吸収パッド１１の間に空隙が形成され、吸収パッド１１を薄型化した場合でも、この空隙が尿の一時保持領域となって漏れを防止し、好適に使用できる。
【００４４】
吸収パッド１１の両側部に長手方向に沿って、脚周り弾性部材や立体ギャザーを配置しても良い。脚周り弾性部材は、吸収パッド１１の股間部１１Ｃの領域にある表面シート１３と裏面シート１４との間に配置される。
【００４５】
立体ギャザーは内倒しでも良いが、外倒しや立体ギャザーの一部で折り返しのあるＣ折りやＺ折りなどの立体ギャザーを配置しても良い。配置する際に一対である必要はなく、これらを適宜組み合わせて、複数組の立体ギャザーを配置しても良い。また、立体ギャザーを形成する弾性部材も１本でも良いが、複数本配置しても良い。立体ギャザーの基端部を吸収体１５の幅方向外側に設置しても良いが、吸収体１５の上や脚周り弾性部材の上でも良く、特に限定されない。
【００４６】
立体ギャザーの高さは、５ｍｍ以上１００ｍｍ以下である。５ｍｍ未満では吸収パッド１１上に排泄物が滞留した場合、十分な堰とはなり得ない。１００ｍｍを越えると、股間部１２Ｃで吸収パッド１１の上面を覆ってしまい、却って漏れの原因になることや、立体ギャザーが吸収パッド１１の外側に延出してこれが吸収パッド１１の外側への尿の流路となり、漏れの原因になることがある。
【００４７】
吸収体１５は、砂時計型である必要はなく、矩形やＴ字型であっても良い。吸収パッド１１をパンツ本体１２の前身頃部１２Ｆから股間部１２Ｃに亙ってのみ配置する場合は、股間でのフィット感を向上させるため、Ｔ字型であることが好ましいが、特に限定されない。
【００４８】
図３〜図５は、図２とは異なる実施例の図であり、吸収パッド１１の接合手段１７の配置を示している。図３の実施例では、接合手段１７が吸収パッド１１の周囲に亙って配置されている。この場合、吸収パッド１１とパンツ本体１２との間に隙間が生じることがなく、漏れ防止効果が高い。図４に示した実施例は、接合手段１７が吸収パッド１１の長手方向両端部と両端付近の両側部にコの字状に配置されている。この場合は、吸収パッド１１の股間部１１Ｃに脚周り弾性部材と立体ギャザーを配置した場合など、吸収パッド１１側にギャザーが寄って、パンツ本体１２とぴったりと貼り合わせることが難しい場合や、脚周りの動きによって吸収パッド１１の動きを制限したくない場合などに適している。図５に示した実施例は、接合手段１７が吸収パッド１１の長手方向両端部の一部分にのみ配置されている。この場合、接合手段１７の配置面積が小さくなるため、安価に製造でき、経済性が高い。
【００４９】
これら接合手段１７は、これらの例に限定されず、図２の実施例や図４，図５に示された実施例などを適宜組み合わせても良い。また、パンツ本体１２の接合手段１９も、吸収パッド１１の接合手段１７の配置位置に合わせて適宜変更が可能である。
【００５０】
また、接合手段１９をパンツ本体１２にのみ配置する場合、これら吸収パッド１１の配置位置の実施例に倣って各種配置する方法があり、特に限定されない。
【００５１】
図６は、図１のパンツ本体１２の一例を示す展開図である。これは布製のショーツの例であり、図６において、パンツ本体１２は前身頃部１２Ｆと股間部１２Ｃと後身頃部１２Ｒとを有し、股間部１２Ｃには液透過性が高く水分保持力の低い液透過シート１８（図中、斜線で示す領域）が本発明の液通過部として配置されており、前身頃部１２Ｆと後身頃部１２Ｒとには吸湿性があり、伸縮性のあるメインシート２０が別途配置されている。この後身頃部１２Ｒの左右のサイドフラップ１６′を接合してベルト状にし、その下部に前身頃部１２Ｆの端部を重ね合わせて縫製することにより、パンツ本体１２が形成される。本実施例では、図６における後身頃部１２Ｒの左右のサイドフラップ１６′の両側領域が、パンツ本体１２の前身頃部１２Ｆの一部を形成することになる。
【００５２】
パンツ本体１２のウエスト周りや脚周りにフィット性を高めるため、別途弾性部材を配置しても良い。
【００５３】
パンツ本体１２全体が液透過性が高く水分保持力の低い素材で形成されている場合は、股間部１２Ｃと前身頃部１２Ｆおよび後身頃部１２Ｒのシートを別体にする必要はなく、同一でも良い。
【００５４】
図７は、図６とは別の実施例を示し、図１のパンツ本体１２の展開図である。図７において、パンツ本体１２の幅方向中央領域（図中、斜線で示す領域）に長手方向全長に亙って液透過シート１８が本発明の液通過部として配置されており、股間領域において液透過シート１８の両側部に脚周りギャザー２１Ｇ（図１参照）を形成するための脚周り弾性部材２１が配置されている。また、長手方向両端部にウエスト周りギャザー２２Ｇ（図１参照）を形成するためのウエスト周り弾性部材２２が配置されている。パンツ本体１２のサイドフラップ１６′には、伸縮性を有するサイドシート２３が配置されており、これはメインシート２０と同じものであってよい。これら前身頃部１２Ｆおよび後身頃部１２Ｒのサイドフラップ１６′を貼り合わることにより、パンツ本体１２が形成される。
【００５５】
図８は、図６，図７とは別の実施例を示し、図１のパンツ本体１２の展開図である。図８において、パンツ本体１２の長手方向中央領域（図中、斜線で示す領域）に液透過シート１８が本発明の液通過部として配置されており、股間部１２Ｃにおいて後身頃部１２Ｒおよび前身頃部１２Ｆから湾曲して配置された脚周り弾性部材２１により脚周りギャザーが形成される。また、長手方向両端部にウエスト周り弾性部材２２が配置されている。これら前身頃部１２Ｆおよび後身頃部１２Ｒのサイドフラップ１６′を貼り合せることにより、パンツ本体１２が形成される。
【００５６】
脚周り弾性部材２１は、必ずしも股間部１２Ｃで交差する必要はない。また、配置しない構成とすることもできる。
【００５７】
パンツ本体１２の構成方法は、これら図６〜図８に限定されない。形として、パンツの形状を保っていれば良く、好ましくは、股間部１２Ｃの領域に液通過部としての液透過シート１８が配置され、吸収パッド１１との結合手段１９を有するものである。
【００５８】
上述した実施例では吸収性物品として失禁パンツを意図しているが、液通過部としてパンツ本体１２の前身頃部１２Ｆの下部から股間部１２Ｃを通って後身頃部１２Ｒの下部に至る細長い股間開口部を形成した場合には、排便用にも対応させることができる。
【００５９】
このような本発明による吸収性物品の他の実施例における外観を分解状態で図９に示し、その主要部の中央縦断面形状を図１０に示し、そのパンツ本体の部分を展開して図１１に示すが、先の実施例と同一機能の要素にはこれと同一符号を記すに止め、重複する説明は省略する。
【００６０】
図９において、吸収パッド１１は、液透過性の表面シート１３と液不透過性の裏面シート１４との間に吸収体１５を配置し、吸収体１５の側縁から延出したシート部分にてサイドフラップ１６を形成しており、吸収パッド１１の長手方向両端の部分にパンツ本体１２との接合手段１７を有している。パンツ本体１２は、後身頃部１２Ｒ，股間部１２Ｃおよび前身頃部１２Ｆを具え、股間部１２Ｃには股間開口部２４が本発明の液通過部として形成され、後身頃部１２Ｒおよび前身頃部１２Ｆには吸収パッド１１との接合手段１９が設けられている。
【００６１】
この吸収性物品の着用時には、吸収パッド１１とパンツ本体１２とが接合手段１７，１９により一体化しており、トイレなどで排尿したいときは、通常のパンツと同じ様に吸収パッド１１毎着脱が可能である。このため、非常にフィット性に優れ、違和感なく装着が可能である。また、失禁が生じたときは、パンツ本体１２を脱ぐことなく、外側に配置された吸収パッド１１のみを外し、新規の吸収パッド１１を配置するだけなので、非常に簡便である。
【００６２】
一般に使用されている使い捨てパンツ型おむつは、失禁により吸収性本体部分が汚れてしまったとき、腹側部と背側部の接合部を外して簡単に脱着できるが、新規の使い捨てパンツ型おむつを装着するためには、ズボンなども一度脱いでから新たに装着するという手間が必要であった。また、このように吸収パッドのみならず、パンツ本体１２の部分も廃棄してしまうため、コストも高く、経済的負担も大きかった。使い捨てパンツ型おむつの内側に配置した尿パッドを交換する場合であっても、内側に配置した尿パッドが、着用者が使い捨てパンツ型おむつを引き上げる際に折れ曲がってしまい、液不透過性の裏面シートが着用者の肌面にきて、排尿時に尿を吸収できずに漏れてしまうという問題もあった。
【００６３】
本実施例では、吸収パッド１１およびパンツ本体１２の両方に接合手段１７，１９を有しているが、両者が結合することができれば良く、接合手段１７，１９の何れか一方のみを配置するだけでも良い。例えば、パンツ本体１２シートがコットンや毛羽立ちの良い不織布で構成され、吸収パッド１１の接合手段１７が面ファスナのフック材で構成されている場合、パンツ本体１２には特に接合手段１９を設ける必要はない。また、これらの素材がパンツ本体１２と吸収パッド１１とで逆に配置されていても問題はない。吸収パッド１１にのみ接合手段１７が設けられ、パンツ本体１２のどこにでも結合できる場合は、接合手段１９を定めることなく、簡単に両者を一体化することができ、非常に簡便である。逆に、パンツ本体１２にのみ接合手段１９を設け、吸収パッド１１に接合手段１７を設けない場合は、排尿後に毎回廃棄する吸収パッド１１に余分な部材を配置する必要がないため、安価に製造が可能になり、経済的負担を軽減できる。
【００６４】
本実施例におけるパンツ本体１２は、図９〜図１１に示すように、股間開口部２４がパンツ本体１２の股間部１２Ｃに１箇所形成されている。この股間開口部２４は少なくとも排尿位置と排便位置とを含む大きさであり、男性と女性で位置や大きさを異なるものにしても良いし、両方をカバーし得る位置や大きさのものでも良い。好ましくは、多少のずれに対しても、排尿位置や排便位置が股間開口部２４に入るように大きめに設定する方が良い。本実施例では、排尿位置と排便位置の両方をカバーし得る股間開口部２４によって、いずれの排泄に対しても、対応可能である。
【００６５】
図１２〜図１４は、本発明の液通過部としてパンツ本体１２に形成される開口部の異なる例をそれぞれ示すパンツ本体１２の展開図である。
【００６６】
図１２は、パンツ本体１２の股間部１２Ｃの排尿位置に前部開口部２５が形成された実施例を示している。この前部開口部２５は少なくとも排尿位置を含む大きさであり、男性と女性で位置や大きさをを分けても良いし、両方をカバーし得る位置や大きさのものでも良い。男性用の場合、陰茎部のみを通す大きさでも良いし、睾丸までを通す大きさであっても良い。好ましくは、陰茎部のみを通す大きさである。また、開口部２５をスリット状にして、このスリットに着用者の陰茎部を挟むようにして使用する構造としても良い。睾丸をパンツ本体１２内に収めることで、睾丸が尿などによって汚れることがなく、カブレなどを防止できる。本実施例では，排便はトイレで可能であるが、排尿のみ漏れが生じる場合などに対応が可能である。
【００６７】
図１３は、パンツ本体１２の股間部１２Ｃの排便位置に後部開口部２６を１箇所形成した実施例を示している。後部開口部２６は少なくとも排便位置を含む大きさである。本実施例では、手術などにより、尿道が腸に繋がってしまい、肛門からのみ漏れが生じる場合や、薬の服用などにより、急激な便意により排便のみトイレに間に合わない場合などに、対応が可能である。
【００６８】
図１４は、パンツ本体１２の股間部１２Ｃに前部開口部２５と後部開口部２６とを形成した実施例を示している。これら２つの開口部２５，２６は少なくとも排尿位置と排便位置に対応して形成され、排尿位置にある前部開口部２５は、男性と女性で位置や大きさをを分けても良いし、両方をカバーし得る位置や大きさのものでも良い。また、これら２つの開口部２５，２６は同じ大きさでも良いが、異なる大きさであっても良い。本実施例では、排尿位置と排便位置の両方に２つの開口部２５，２６を形成したことで、いずれの排泄に対しても対応可能である。
【００６９】
図１５〜図１８は、パンツ本体１２に吸収パッド１１を配置した状態の展開平面図である。
【００７０】
図１５は、吸収パッド１１を前身頃部１２Ｆから後身頃部１２Ｒにかけて配置した実施例を示しており、上述したすべての実施例に対して有効である。つまり、排尿位置に対応して前部開口部２５のみ形成した場合や、排便位置に対応して後部開口部２６のみを形成した場合であっても、吸収パッド１１を前身頃部１２Ｆから後身頃部１２Ｒ全体に亙って配置することで、排泄物が流れた場合でも容易に吸収ができ、また、排便などの場合はパンツ本体１２と吸収パッド１１との間に大きな空隙を形成してこれを収容することができるため、漏れ防止効果も高くなる。
【００７１】
図１６は、吸収パッド１１を前身頃部１２Ｆから股間部１２Ｃにかけて配置した実施例である。失禁パンツの場合、吸収パッド１１を前身頃部１２Ｆから股間部１２Ｃにのみに配置することで、吸収パッド１１が長手方向に短くなり、安価に製造することができる。また、着用者も吸収パッド１１装着時に後身頃部１２Ｒまで手をまわす必要もなく、装脱着がさらに簡便になる。
【００７２】
図１７は、吸収パッド１１を股間部１２Ｃから後身頃部１２Ｒにかけて配置した実施例である。排便用に応じて後部開口部２６のみ形成した場合、吸収パッド１１を股間部１２Ｃから後身頃部１２Ｒにのみ配置することで、吸収パッド１１が長手方向に短くなり、安価に製造することができる。また、この場合、便専用の吸収パッド１１とすることができる。便専用の吸収パッド１１は、尿吸収の必要がないため、ごく少量の吸収体１５を配置だけでよく、非常に安価に製造できる。吸収体１５を完全になくした吸収パッド１１とすることも可能である。
【００７３】
図１８は、排尿位置と排便位置とにそれぞれ吸収パッド１１を配置した実施例を示している。２つの吸収パッド１１は同じ物でも良いが、異なる構成のものでも良い。２つの吸収パッド１１を配置する場合、排尿で濡れる部分が前身頃部１２Ｆから股間部１２Ｃのみになるため、臀部が濡れることなく、褥瘡予防に効果がある。また、便が排尿部位まで広がらないため、排尿部位からの感染の予防にもなる。さらに、便で汚れる部分が排便部分の後部開口部２６近傍だけになるため、皮膚の清浄などが簡便である。
【００７４】
図１９〜図２２は、吸収パッド１１の接合手段１７の配置状態をそれぞれ表す平面図である。
【００７５】
図１９に示す実施例では、接合手段１７は吸収パッド１１の周囲に亙って配置されている。この場合、吸収パッド１１とパンツ本体１２との間に隙間が生じることがなく、漏れ防止効果が高い。
【００７６】
図２０は、接合手段１７が吸収パッド１１の長手方向両端部に鍵の手状に配置された実施例を示している。この場合、吸収パッド１１の股間部１１Ｃに脚周り弾性部材を配置した場合など、吸収パッド１１側にギャザーが寄って、パンツ本体１２とぴったりと貼り合わせることが難しい場合や、脚周りの動きによって吸収パッド１１の動きを制限したくない場合などに適している。
【００７７】
図２１は、接合手段１７が吸収パッド１１の長手方向両端部にのみ配置された実施例を示す。この場合、接合手段１７の配置面積が小さくなるため、安価に製造でき、経済性が高い。
【００７８】
図２２は、接合手段１７が吸収パッド１１の長手方向両端部の一部にのみ配置した実施例を示している。この場合、接合手段１７の配置面積がさらに小さくなるため、安価に製造でき、経済性が高く、また、着用者の動きによるウエスト周りのパンツ本体１２の伸縮を妨げることなく追従することが可能になる。
【００７９】
図２０〜図２２に示された実施例を適宜組み合わせ、これらの接合手段１７の配置を設定することも可能である。また、パンツ本体１２の接合手段１９も、吸収パッド１１の接合手段１７の配置位置に合わせて適宜変更が可能である。
【００８０】
また、一方の接合手段１９をパンツ本体１２に配置する場合、これら吸収パッド１１の配置位置に応じて各種配置する方法があり、特に限定されない。
【００８１】
図２３は、図９のパンツ本体１２の他の展開図である。図２３において、パンツ本体１２は前身頃部１２Ｆと股間部１２Ｃと後身頃部１２Ｒとを有し、股間部１２Ｃには股間開口部２４が形成され、全体がメインシート２０で構成されている。このメインシート２０は伸縮性があり、好ましくは吸湿性がある。後身頃部１２Ｒの左右のサイドフラップ１６′の両側部を接合してベルト状にし、その下部に前身頃部１２Ｆの端部を接合することにより、パンツ本体１２が形成される。
【００８２】
パンツ本体１２のウエスト周りや脚周りにフィット性を高めるために別途弾性部材を配置しても良い。股間開口部２４の周辺の一部もしくは全周に亙って弾性部材を配置しても良い。
【００８３】
パンツ本体１２を単一のメインシート２０のみで構成する必要はなく、複数の異なる性質を持ったシートをつなぎ合わせたり、重ね合わせてパンツ本体を形成することができる。
【００８４】
図２４は、図２３とは別の実施例を示し、図９のパンツ本体１２の展開状態を表す。図２４において、パンツ本体１２の股間部１２Ｃの排尿位置に前部開口部２５が配置されており、股間部１２Ｃの左右両側縁部に沿って脚周り弾性部材２１が配置されている。また、長手方向両側部にウエスト周り弾性部材２２が配置されている。これら前身頃部１２Ｆおよび後身頃部１２Ｒのサイドフラップ１６′が貼り合わされることにより、パンツ本体１２形成される。
【００８５】
前部開口部２５の周囲の一部または全周に亙って弾性部材を配置しても良い。また、パンツ本体１２のうち、サイドフラップ１６′の部分をメインシート２０とは異なる伸縮性を有するシートで形成することも可能である。
【００８６】
図２５は、図２３，図２４とは別の実施例を示し、図９のパンツ本体１２の展開形状を表す。図２５において、パンツ本体１２の股間部１２Ｃの排尿位置と排便位置とにそれぞれ前部開口部２５と後部開口部２６とが配置されており、股間部１２Ｃにおいて後身頃部１２Ｒおよび前身頃部１２Ｆから湾曲して配置された脚周り弾性部材２１により脚周りギャザーが形成される。また、長手方向両端部にウエスト周り弾性部材２２が配置されている。これら前身頃部１２Ｆおよび後身頃部１２Ｒのサイドフラップ１６′を相互に貼り合わせることにより、パンツ本体１２が形成される。
【００８７】
脚周り弾性部材２１は、必ずしも股間部１２Ｃで交差する必要はない。また、特に配置されなくとも良い。これら２つの開口部２５，２６の周辺の一部または全周に亙って弾性部材を配置しても良い。
【００８８】
パンツ本体１２を単一のメインシート２０のみで構成する必要はなく、複数の異なる性質を持ったシートをつなぎ合わせたり、重ね合わせてパンツ本体１２を形成することができる。
【００８９】
パンツ本体１２の構成は、図１１〜図１４および図２３〜図２５に示した実施例に限定されない。形として、パンツの形状を保っていれば良く、開口部２４〜２６うちの少なくとも１つを有していればよい。また、パンツ本体１２の形成方法および開口部２４〜２６の位置や大きさ，個数などは特に限定されず、何れの組み合わせでも良い。
【００９０】
本実施例における吸収パッド１１の平面形状を図２６に一部破断して示し、そのＸＸＶＩＩ−ＸＸＶＩＩ矢視断面構造を図２７に示す。すなわち、本実施例における吸収パッド１１は、液不透過性の表面シート１３と、液不透過性の裏面シート１４と、これら両シート１３，１４の間に配される吸収体１５と、表面シート１３および裏面シート１４の左右両側端縁部にそれぞれ接合され、表面シート１３の上面を覆って配置され、かつ股間部１１Ｃの位置に開口３４を形成した撥水性のカバーシート２８と、吸収パッド１１の長手方向両端部に位置し、カバーシート２８の上面に設けられた一対の接合手段１７とを有する。本実施例では、カバーシート２８に形成された開口３４の長手方向両側縁部に沿って弾性部材３１が伸長状態で配置され、立体ギャザー３０が形成されている。本実施例では吸収体１５と表面シート１３との間に吸収体１５の表面を覆う拡散シート３２が介装され、吸収体１５はこの拡散シート３２の左右両側端縁部と共にティシュ３３によって包まれた状態となっている。この拡散シート３２は、尿などの液体を吸収体１５の表面全域に迅速に拡散させるための機能を有する。本実施例における吸収パッド１１は、その長手方向両端部における幅寸法を同じに設定しているが、股間部１２Ｃに沿うように任意の形状に設定することができる。
【００９１】
本実施例では、カバーシート２８の表面にパンツ本体１２の股間開口部２４に対応した形状の開口３４を形成しており、このカバーシート２８の開口３４と股間開口部２４とが連通状態となるように吸収パッド１１をパンツ本体１２に装着した場合、尿が吸収パッド１１のカバーシート２８の開口３４から表面シート１３を通過して拡散シート３２へと導かれるため、パンツ本体１２の外面が尿によって濡れるのを抑制することができる。このような観点から、カバーシート２８の開口３４をパンツ本体１２の股間開口部２４よりも小さめに設定することが有効である。また、吸収パッド１１と重なり合うパンツ本体１２の前身頃部１２Ｆおよび股間部１２Ｃの部分に液透過性を持たせることができ、股間開口部２４以外からも尿を吸収パッド１１側に迅速に導くことが可能となる。
【００９２】
吸収パッド１１の股間部１１Ｃの幅をパンツ本体１２の股間部１２Ｃと同じ幅に設定しても良いが、異なっていても良い。同じ幅である場合は、装着時の股間部のごわつきもなく、フィット感が良い。吸収パッド１１の幅がパンツ本体１２の股間部１２Ｃよりも広い場合、股間部１２Ｃにおいてパンツ本体１２と吸収パッド１１との間に空隙が形成され、吸収パッド１１を薄型化した場合でも、この空隙によって尿などを一時的に保持することができるため、漏れを防止して好適に使用することができる。
【００９３】
吸収パッド１１の長手方向に沿う両側部に、脚周り弾性部材を配置しても良い。脚周り弾性部材は、吸収パッド１１の股間部１１Ｃに位置するカバーシート２８と裏面シート１４との間に配置される。脚周り弾性部材は平行に配置されても良いが、曲線状でも良く、ハの字型に配置されても良い。
【００９４】
立体ギャザー３０は、カバーシート２８の他に、帯状のギャザーシートを吸収パッド１１の長手方向に配置して形成しても良い。この場合、立体ギャザー３０は内倒しでも良いが、外倒しや立体ギャザー３０の一部で折り返しのあるＣ折りやＺ折りなどの立体ギャザー３０を配置しても良い。配置する際に一対である必要はなく、これらを適宜組み合わせて、複数組の立体ギャザーを配置しても良い。また、立体ギャザー３０を構成する弾性部材３１も１本でも良いが、複数本配置しても良い。立体ギャザー３０の基端部を吸収体１５の外側に設置しても良いが、吸収体１５上や、脚周り弾性部材上でも良く、特に限定されない。
【００９５】
立体ギャザーの高さは、５ｍｍ以上１００ｍｍ以下である。５ｍｍ未満では吸収パッド１１の上に排泄物が滞留した場合、充分な高さの堰とはなり得ない。逆に１００ｍｍを越えると、股間部１２Ｃ分で吸収パッド１１の上面を覆ってしまい、却って漏れの原因になることや、立体ギャザー３０が吸収パッド１１の外側に延出して外部への尿などの流路となり、漏れの原因になることがある。
【００９６】
吸収体１５は、砂時計型である必要はなく、矩形やＴ字型であっても良い。吸収パッド１１をパンツ本体１２の前身頃部１２Ｆから股間部１２Ｃに亙ってのみ配置する場合は、股間部１２Ｃでのフィット感を向上させるために、Ｔ字型であることが好ましいが、特に限定されない。
【００９７】
吸収パッド１１は、図示のように、長手方向両端部のそれぞれの幅が同じでも良いが、異なっていても良い。排尿位置や排便位置のみに配置する場合は、前身頃部１２Ｆや後身頃部１２Ｒに当たる端部の幅が股間部１２Ｃに当たる端部の幅よりも広く形成されていても良い。また、排尿位置や排便位置のみに配置する吸収パッド１１の場合は、脚周り弾性部材をパンツ本体１２の脚周り開口部１２Ｌに一致するように吸収パッド１１の一方の長手方向端縁側に寄った形で配置しても良い。
【００９８】
図２８は、吸収パッド１１の他の実施例の断面構造を表し、液透過性の表面シート１３と液不透過性の裏面シート１４との間に拡散シート３２とティシュ３３とで包まれた吸収体１５が配置され、吸収体１５の両側部にはカバーシート２８が配置されている。このカバーシート２８は親水性でも良いが、好ましくは撥水性である。本実施例では、表面シート１３の幅方向両側にカバーシート２８を配置しているが、カバーシート２８をなくして全体を液透過性の表面シート１３で覆うようにしてもよい。
【００９９】
図２９は、パンツ本体１２に別体でカバーシート３６を配置した実施例の展開形状を示している。図２９において、前部開口部２５および後部開口部２６を有するパンツ本体１２の外面排便側に、開口３５を有するカバーシート３６を配置し、そのさらに外側に吸収パッド１１を２個配置するようにしている。カバーシート３６の開口３５がパンツ本体１２の後部開口部２６と合致するように、カバーシート３６がパンツ本体１２に接合される。この配置によって、パンツ本体１２の開口部２５，２６を介して排泄された排泄物が吸収パッド１１の表面で広がり、着用者の姿勢によって吸収パッド１１がパンツ本体１２に押し付けられた場合であっても、カバーシート３６によってパンツ本体１２の外側が覆われた状態となっているため、パンツ本体１２の外側部を汚すことなく使用できる。
【０１００】
カバーシート３６は粘着剤や機械的接合など、周知の接合手段によって、一部もしくは全面がパンツ本体１２の外側に接合されている。このカバーシート３６は、パンツ本体１２を汚さない大きさがあれば良く、大きさは特に限定されないが、吸収パッド１１のパンツ本体１２との重なり部分よりも大きいことが好ましい。カバーシート３６を配置する場合、吸収パッド１１は、パンツ本体１２に接合されたカバーシート３６に対して接合される構造であってよい。
【０１０１】
カバーシート３６に形成されている開口部３５は、パンツ本体１２の後部開口部２６と同じ大きさでも良いが、異なっていても良い。パンツ本体１２の後部開口部２６がカバーシート３６の開口部３５よりも大きいことが好ましい。この場合は、パンツ本体１２を汚すことなく使用可能である。また、開口部３５の周囲に弾性部材を配置しても良い。
【０１０２】
カバーシート３６は、吸収パッド１１の表面シート１３で用いられる親水性の材料でも良いが、撥水性または液不透過性の材料であることが好ましい。
【０１０３】
本実施例では、カバーシート３６を排便側にのみ配置しているが、排尿側にも配置することが可能である。この場合、２つの開口部３５を形成した１枚のカバーシート３６を配置しても良いが、それぞれ開口部３５が１つずつ形成された２枚のカバーシート３６を配置することも可能である。排尿側と排便側とで別体のカバーシート３６を配置した場合、一方のみが汚れた時に汚れたカバーシート３６のみを交換できるので、経済的である。
【０１０４】
さらに本実施例では、２つの開口部２５，２６を有するパンツ本体１２と２つの吸収パッド１１を配置する場合を示しているが、本発明の液通過部としてパンツ本体１２に形成されるる開口部の数や位置は限定されない。また、吸収パッド１１の数や大きさおよび配置位置も特に限定されない。
【０１０５】
【発明の効果】
本発明の吸収性物品によると、パンツ本体に液通過部を形成し、この液通過部を覆う吸収パッドをパンツ本体の外側から接合手段を介して交換可能に接合するようにしたので、パンツ本体を着用したまま必要に応じてその外側から極めて容易かつ適切な位置に吸収パッドのみを素早く交換することができると共に、パンツ本体を繰り返し使用することによって、その経済的負担を軽減させることが可能である。しかも、吸収パッドの交換時にパンツ本体を脱ぐ必要がないので、特に介護用の吸収性物品として着用者の身体的負担や羞恥心をより軽減することができる。
【０１０６】
液通過部を多孔質シートやメッシュシートなどの液透過性シートにて形成し、これを少なくとも股間部の領域に配した場合には、パンツ本体を着用した場合の型崩れが発生しにくく、良好な着用性を得ることができる。
【０１０７】
液通過部が少なくとも１つの股間開口部の場合には、尿などを迅速に吸収パッド側に導くことができ、便などの処理も可能となる。特に、股間開口部が尿通過用の前部開口と、便通過用の後部開口とを有する場合には、尿と便とを分けて吸収させることができる。
【０１０８】
ウエスト周りギャザーを形成するための弾性部材をパンツ本体のウエスト周り開口部の開口端に沿って伸長状態で配する一方、脚周りギャザーを形成するための弾性部材を脚周り開口部の開口端に沿って伸長状態で配した場合には、パンツ本体の着用感を向上させることができる。
【０１０９】
吸収パッドの少なくとも長手方向両端部にパンツ本体に分離可能な接合手段を設けた場合には、吸収パッドの着脱を容易に行うことができる。
【０１１０】
パンツ本体が液透過性のメインシートと、液通過部の周囲の少なくとも吸収パッドが重ね合わされるメインシートの部分に一体的に接合される液不透過性または撥液性のカバーシートとを有する場合には、液通過部の周囲のパンツ本体と接する着用者の皮膚の部分を乾燥状態に保って不快感をより軽減させることができる。
【０１１１】
吸収パッドが液透過性の表面シートと、液不透過性の裏面シートと、これら両シートの間に配される吸収体とを有する場合には、表面シートによって着用者の皮膚に吸収体が直接触れることなく、しかも裏面シートによって漏れを確実に防ぐことができる。
【０１１２】
吸収パッドが表面シートの左右両側縁に沿って配される一対のギャザーシートと、この一対のギャザーシートの自由端縁側に伸長状態で配されてそれぞれ立体ギャザーを形成するための弾性部材とをさらに有する場合には、吸収パッドの左右両側縁からの漏れを防ぐことができる。
【０１１３】
本発明のパンツ本体によると、ウエスト周り開口部と、一対の脚周り開口部と、外側から交換可能に接合される吸収パッドによって覆われる液通過部とを具えたので、パンツ本体を着用したまま必要に応じてその外側から極めて容易かつ適切な位置に吸収パッドのみを素早く交換することができ、パンツ本体を繰り返し使用することによって、その経済的負担を軽減させることが可能である。しかも、吸収パッドの交換時にパンツ本体を脱ぐ必要がないので、特に介護用の吸収性物品として着用者の身体的負担や羞恥心をより軽減することができる。
【０１１４】
ウエスト周り開口部と、一対の脚周り開口部と、液通過部とを有するパンツ本体の外側から交換可能に接合されて股間開口部を覆う本発明の吸収パッドによると、液透過性の表面シートと、液不透過性の裏面シートと、これら両シートの間に配される吸収体と、表面シートの少なくとも前後両端部に設けられてパンツ本体に対して交換可能に接合し得る接合手段とを具えているので、パンツ本体を着用したまま必要に応じてその外側から極めて容易かつ適切な位置に吸収パッドのみを素早く交換することができる。
【図面の簡単な説明】
【図１】本発明による吸収性物品を失禁パンツに応用した実施例の外観を表す分解斜視図である。
【図２】図１に示した実施例における吸収パッドの部分の破断平面図である。
【図３】図１に示した吸収パッドに形成される接合手段の形成位置の一例を示す平面図である。
【図４】図１に示した吸収パッドに形成される接合手段の形成位置の他の例を示す平面図である。
【図５】図１に示した吸収パッドに形成される接合手段の形成位置の別な例を示す平面図である。
【図６】図１に示した実施例におけるパンツ本体の一例を示す展開図である。
【図７】図１に示した実施例におけるパンツ本体の他の例を示す展開図である。
【図８】図１に示した実施例におけるパンツ本体の別な例を示す展開図である。
【図９】本発明による吸収性物品の他の実施例の外観を表す分解斜視図である。
【図１０】図９に示した実施例における吸収性物品の前身頃から後身頃に至る縦断面図である。
【図１１】図９に示した実施例におけるパンツ本体の一例を示す展開平面図である。
【図１２】本発明によるパンツ本体の他の例を表す展開図である。
【図１３】本発明によるパンツ本体の別な例を表す展開図である。
【図１４】本発明によるパンツ本体のさらに別な例を表す展開図である。
【図１５】パンツ本体に対する吸収パッドの装着位置の一例を展開状態で示す平面図である。
【図１６】パンツ本体に対する吸収パッドの装着位置の他の例を展開状態で示す平面図である。
【図１７】パンツ本体に対する吸収パッドの装着位置の別な例を展開状態で示す平面図である。
【図１８】パンツ本体に対する吸収パッドの装着位置のさらに別な例を展開状態で示す平面図である。
【図１９】図９に示した吸収パッドに形成される接合手段の形成位置の一例を示す平面図である。
【図２０】図９に示した吸収パッドに形成される接合手段の形成位置の他の例を示す平面図である。
【図２１】図９に示した吸収パッドに形成される接合手段の形成位置の別な例を示す平面図である。
【図２２】図９に示した吸収パッドに形成される接合手段の形成位置のさらに別な例を示す平面図である。
【図２３】本発明によるパンツ本体のさらに別な例を表す展開図である。
【図２４】本発明によるパンツ本体のさらに別な例を表す展開図である。
【図２５】本発明によるパンツ本体のさらに異なる例を表す展開図である。
【図２６】図９に示した実施例における吸収パッドの一例を示す破断平面図である。
【図２７】図２６中のＸＸＶＩＩ−ＸＸＶＩＩ矢視断面図である。
【図２８】本発明による吸収パッドの内部構造の他の例を表す断面図である。
【図２９】本発明による吸収性物品の異なる実施例を展開状態で分解した平面図である。
【符号の説明】
１１　吸収パッド
１１Ｒ　後身頃部
１１Ｃ　股間部
１１Ｆ　前身頃部
１２　パンツ本体
１２Ｒ　後身頃部
１２Ｃ　股間部
１２Ｆ　前身頃部
１２Ｗ　ウエスト周り開口部
１２Ｌ　脚周り開口部
１３　表面シート
１４　裏面シート
１５　吸収体
１６　サイドフラップ（吸収パッドを構成するサイドフラップ）
１６′　サイドフラップ（パンツ本体を構成するサイドフラップ）
１７　接合手段
１８　液透過シート
１９　接合手段
２０　メインシート
２１　脚周り弾性部材
２１Ｇ　脚周りギャザー
２２　ウエスト周り弾性部材
２２Ｇ　ウエスト周りギャザー
２３　サイドシート
２４　股間開口部
２５　前部開口部
２６　後部開口部
２８　カバーシート
３０　立体ギャザー
３１　弾性部材
３２　拡散シート
３３　ティシュ
３４　開口
３５　開口
３６　カバーシート
【図１】
2004000414.tif 000003
【図２】
2004000414.tif 000004
【図３】
2004000414.tif 000005
【図４】
2004000414.tif 000006
【図５】
2004000414.tif 000007
【図６】
2004000414.tif 000008
【図７】
2004000414.tif 000009
【図８】
2004000414.tif 000010
【図９】
2004000414.tif 000011
【図１０】
2004000414.tif 000012
【図１１】
2004000414.tif 000013
【図１２】
2004000414.tif 000014
【図１３】
2004000414.tif 000015
【図１４】
2004000414.tif 000016
【図１５】
2004000414.tif 000017
【図１６】
2004000414.tif 000018
【図１７】
2004000414.tif 000019
【図１８】
2004000414.tif 000020
【図１９】
2004000414.tif 000021
【図２０】
2004000414.tif 000022
【図２１】
2004000414.tif 000023
【図２２】
2004000414.tif 000024
【図２３】
2004000414.tif 000025
【図２４】
2004000414.tif 000026
【図２５】
2004000414.tif 000027
【図２６】
2004000414.tif 000028
【図２７】
2004000414.tif 000029
【図２８】
2004000414.tif 000030
【図２９】
2004000414.tif 000031